(57)【要約】【課題】希少価値の高いトレーディングカード、カードケースおよび収集品を提供する。【解決手段】例えば紙やプラスチック製等の基材に、有名スポーツ選手の写真が印刷され、サイン書き込み部３、落款部７を設け、ＩＣチップ１１を内蔵する。サイン書き込み部３にはサイン５が、落款部７には印９が落款される。サイン書き込み部３、落款部７は、それぞれサイン、落款が鮮明に行えるよう、表面の摩擦度を増す等の表面処理を行う。印９は、写真の選手の氏名、背番号、信条とする言葉等、選手に関連する文字や記号を彫った印鑑の印影で、選手固有のものが好ましい。【選択図】　図１
2004106241.tif 000002
【特許請求の範囲】
【請求項１】
落款を有することを特徴とするトレーディングカード。
【請求項２】
前記落款が行われるカードの表面は、落款用の表面処理を施されていることを特徴とする請求項１に記載のトレーディングカード。
【請求項３】
サインをさらに有することを特徴とする請求項１または請求項２に記載のトレーディングカード。
【請求項４】
前記落款または前記サインは、シール上に行われることを特徴とする請求項１または請求項３に記載のトレーディングカード。
【請求項５】
ＩＣチップを内蔵したことを特徴とする請求項１から請求項４のいずれかに記載のトレーディングカード。
【請求項６】
前記ＩＣチップには、落款に関する情報等が記録されることを特徴とする請求項５に記載のトレーディングカード。
【請求項７】
前記ＩＣチップには、サインに関する情報等が記録されることを特徴とする請求項５または請求項６に記載のトレーディングカード。
【請求項８】
トレーディングカードを収納するカード収納部と、
ＩＣチップを収納するＩＣチップ収納部と落款と、
を有するカードケース。
【請求項９】
前記落款が行われるケースの表面は、落款用の表面処理を施されていることを特徴とする請求項８に記載のカードケース。
【請求項１０】
前記ＩＣチップには、落款に関する情報等が記録されることを特徴とする請求項８または請求項９のいずれかに記載のカードケース。
【請求項１１】
サインをさらに有することを特徴とする請求項８または請求項１０のいずれかに記載のカードケース。
【請求項１２】
前記落款または前記サインは、シール上に行われることを特徴とする請求項１１に記載のカードケース。
【請求項１３】
前記ＩＣチップには、サインに関する情報等が記録されることを特徴とする請求項１１または請求項１２に記載のカードケース。
【請求項１４】
落款を有することを特徴とする収集品。
【請求項１５】
前記落款が行われる収集品の表面は、落款用の表面処理を施されていることを特徴とする請求項１４に記載の収集品。
【請求項１６】
サインをさらに有することを特徴とする請求項１４またはら請求項１５のいずれかに記載の収集品。
【請求項１７】
前記落款または前記サインは、シール上に行われることを特徴とする請求項１４または請求項１６のいずれかに記載の収集品。
【請求項１８】
ＩＣチップを内蔵したことを特徴とする請求項１４から請求項１７に記載の収集品。
【請求項１９】
前記ＩＣチップには、落款に関する情報等が記録されることを特徴とする請求項１８に記載の収集品。
【請求項２０】
前記収集品は、ボールであることを特徴とする請求項１４から請求項１９のいずれかに記載の収集品。
【請求項２１】
前記収集品は、スポーツ関連用品であることを特徴とする請求項１４から請求項１９のいずれかに記載の収集品。
【請求項２２】
収集品が額に納められ、
前記収集品、または前記額のいずれか少なくとも１つは落款を有することを特徴とする額装収集品。
【請求項２３】
収集品が台紙上に配置され、
前記収集品と前記台紙はともに額に納められ、
前記収集品、前記台紙または前記額のいずれか少なくとも１つは落款を有することを特徴とする額装収集品。
【請求項２４】
前記落款が行われる箇所の表面は、落款用の表面処理を施されていることを特徴とする請求項２２または請求項２３に記載の額装収集品。
【請求項２５】
サインをさらに有することを特徴とする請求項２２または請求項２３のいずれかに記載の額装収集品。
【請求項２６】
前記落款または前記サインは、シール上に行われることを特徴とする請求項２２から請求項２５のいずれかに記載の額装収集品。
【請求項２７】
前記収集品、前記台紙、または前記額の少なくともいずれか１ヶ所にＩＣチップを内蔵したことを特徴とする請求項２２から請求項２６のいずれかに記載の額装収集品。
【請求項２８】
前記ＩＣチップには、落款またはサインに関する情報等が記録されることを特徴とする請求項２７に記載の額装収集品。
【請求項２９】
前記収集品は、スポーツ関連用品であることを特徴とする請求項２２から請求項２８のいずれかに記載の収集品。
【発明の詳細な説明】
【０００１】
【発明の属する技術分野】
本発明は、有名スポーツ選手等の写真、名前などを印刷したトレーディングカード、カードケース等の収集品（コレクターズアイテムともいう）に関する。
【０００２】
【従来の技術】
収集品の１つであるトレーディングカードは、紙やプラスチック等の基材に有名スポーツ選手等の写真、名前などを印刷したカードであり、日本、米国の他、各国のカード収集家により交換、売買が盛んに行われている。選手自身の直筆のサインや、選手が使用したユニフォームの切れ端等が付属したカード等、希少価値の高いカードについては、高価な値段で売買されている。また、有名スポーツ選手のサイン等が付属したボール等のスポーツ用品を始めとする収集品も価値のあるものとして扱われている。
【０００３】
【発明が解決しようとする課題】
ところで、上記トレーディングカード等の収集品の交換、売買等をさらに活発にするには、新商品や、従来にはないプレミアムつきのカード等、新規な収集品の開発が欠かせない。また、これらの収集品の交換、売買が活発になるにつれて、偽造品の流通に対する対策も必要になる。
【０００４】
本発明は、従来のトレーディングカード、カードケースおよび収集品が有する上記問題点に鑑みてなされたものであり、本発明の目的は、新たなプレミアムとして、選手が固有の印鑑を落款してその価値を高め、またその落款に関する情報等をＩＣチップに記録して信頼性を高めることの可能な、新規かつ改良されたトレーディングカード、カードケースおよび収集品を提供することである。
【０００５】
【課題を解決するための手段】
上記課題を解決するため、第１の発明は、落款を有することを特徴とするトレーディングカードである。落款が行われるカードの表面は、落款用の表面処理を施されていることが好ましい。また、サインを書き込むサイン欄をさらに有するようにしてもよい。
【０００６】
ここで落款のための印鑑は、写真の人物の氏名、背番号、その他の関連事項を表す人物固有のものとし、その人物自身により落款されることが好ましい。上記構成によれば、落款及びサインがトレーディングカードの希少価値を高め、トレーディングカードの交換、売買が活発になる。また、落款欄を表面処理すると、落款が鮮明に行える。
【０００７】
また、上記トレーディングカードにＩＣチップを内蔵し、落款に関する情報、サインに関する情報などが記録されるようにしてもよい。
【０００８】
ＩＣチップに落款の有無、落款された印の画像、サインの有無、落款またはサインを行った日時など、関連情報を記録することにより、トレーディングカードの信頼性が高まり、安心して交換、売買を行うことができる。また、ＩＣチップはトレーディングカードに内臓され、外観を乱すことはない。
【０００９】
また、第２の発明は、トレーディングカードを収納するカード収納部と、ＩＣチップを収納するＩＣチップ収納部と、落款とを有するカードケースである。落款が行われるケースの表面は、落款用の表面処理を施されていることが好ましい。サインをさらに有するようにしてもよい。ＩＣチップには、落款に関する情報、サインに関する情報等を記録することができる。
【００１０】
上記構成によれば、トレーディングカードを保護して、価値が下がることのないように保存することができ、長く保有することにより、希少価値が高まることなどが期待されるようになる。
【００１１】
第３の発明は、落款を有する収集品である。落款が行われる収集品の表面は、落款用の表面処理が施されていることが好ましい。収集品に有名選手の氏名等を表す印を落款することで、価値の高い収集品とすることができる。また、収集品にＩＣチップを内蔵するようにしてもよい。ＩＣチップには、落款に関する情報を記録することができる。収集品とは、例えばボール等のスポーツ用品、有名スポーツ選手の写真等である。ＩＣチップに落款の有無、落款された印の画像、サインの有無、落款またはサインを行った日時など、関連情報を記録することにより、上記収集品を信頼性の高いものとすることができる。
【００１２】
また、上記収集品を必要に応じて色紙などを台紙とし、額に収納するようにしてもよい。このとき、落款およびＩＣチップは、収集品、台紙、額のいずれかに備えられることが好ましい。収集品を額装することで、収集品を長期間に亘る保存に耐えるものとすることができ、屋内などに展示する際にも好ましい。さらに上記第１から第３の発明において、落款またはサインをシール上に行うようにしてもよい。これにより、有名スポーツ選手の手元に収集品を運ばずに、簡便に、収集品に落款、サイン等を行うことができる。
【００１３】
【発明の実施の形態】
以下に添付図面を参照しながら、本発明にかかる収集品の実施の形態について詳細に説明する。第１の実施の形態においては、収集品としてトレーディングカード１を例にして説明する。図１は、本発明の第１の実施の形態にかかるトレーディングカード１の外観平面図、図２は、カード情報３１を示す図である。
【００１４】
図１に示すように、トレーディングカード１は、例えば紙やプラスチック製の基材に、有名スポーツ選手の写真が印刷されている。図１の例では、下部にサイン書き込み部３、落款部７が設けられ、左上部にＩＣチップ１１が内蔵されている。
【００１５】
サイン書き込み部３にはサイン５が、落款部７には印９が落款されている。サイン書き込み部３、落款部７は、それぞれサイン、落款が鮮明に行えるよう、表面の摩擦度を増す等の表面処理を行うようにしてもよい。サイン、及び落款はトレーディングカード１に写真が印刷された人物自身により行われることで、トレーディングカード１の希少価値を高めることができる。
【００１６】
印９は、写真の人物の氏名、背番号、信条とする言葉、似顔絵、干支、星座、家紋、紋章等、その人物に関連する文字や記号等を彫った印鑑の印影、花押等で、その人物固有のものが好ましい。また、トレーディングカード１の品質を保証する、カード化した保証書のような書類を作成し、その書類との間に落款される割印や、落款すると、印に彫り込まれた凹凸がトレーディングカード１に写される刻印等でもよい。
【００１７】
ＩＣチップ１１には、トレーディングカード１に関する様々なカード情報３１が記録される。図２に示すように、カード情報３１は、カードＩＤ４１、カード名称４２、・・・、カードスコア４３、センタリング４４、角４５、縁４６、表面４７、・・・、所有者氏名５０、住所５１、購入日５２、・・・、所有者氏名６０、住所６１、購入日６２、・・・、サイン７０、落款７１、・・・等からなる。
【００１８】
カードＩＤ４１、カード名称４２、・・・等はカード種別を示す項目である。カードＩＤ４１はトレーディングカード１の識別番号である。カード名称４２は、例えばトレーディングカード１に写真が印刷されるスポーツ選手の選手名等を示す。
【００１９】
カードスコア４３、センタリング４４、角４５、縁４６、表面４７、・・・はトレーディングカード１の真贋や価値等の鑑定結果に関する項目であり、センタリング４４はトレーディングカード１の中央部を、角４５はトレーディングカード１の角部を、縁４６はトレーディングカード１のエッジ部分を、表面４７はトレーディングカード１の表裏両面の表面を示す。カードスコア４３の欄は総合評価点を、センタリング４４、角４５、縁４６、表面４７の各欄は各鑑定項目別の評価点を示すものである。
【００２０】
所有者氏名５０、住所５１、購入日５２、・・・、所有者氏名６０、住所６１、購入日６２、・・・はトレーディングカード１の過去、及び現在の所有者に関する情報である。例えば、所有者氏名５０、住所５１、購入日５２、・・・には現在の所有者である例えば顧客Ａに関する情報が記載されており、所有者氏名６０、住所６１、購入日６２、・・・には顧客Ａの以前にトレーディングカード１を所有していた所有者に関する情報が記載されている。
【００２１】
サイン７０、落款７１は、トレーディングカード１にサイン５または印９の落款がされているか否かの情報が記載される。さらに、サイン５または印９がある場合にはその実行日時や、場所、あるいはサイン５、印９の画像データ、印９として記された文字の読みかたや意味などを記載するようにしてもよい。
【００２２】
このようにＩＣチップ１１にはカード情報３１が登録される。即ち、ＩＣチップ１１を読み取ることによって、カード種別、カードの鑑定結果、所有者の履歴、サイン、落款の有無等がわかる。また、ＩＣチップ１１には、例えばトレーディングカード１に写真が印刷されたスポーツ選手等の声や、トレーディングカード１にスポーツ選手がサインする場面等の動画を記録しておくことも可能である。
【００２３】
上記トレーディングカード１の品質を確認するため、検査を行うようにしてもよい。サインを行う際には、第３者が証人となり、さらにそれを記録として残すようにすることもできる。トレーディングカード１には、固有の証明番号を与えるようにしてもよい。
【００２４】
以上説明したように、第１の実施の形態にかかるトレーディングカード１においては、落款部７を設け、トレーディングカード１に写真が印刷されたスポーツ選手等が印９を落款する。これにより、日本のみならず、外国においても漢字に対する好感度が高いこともあり、トレーディングカードの希少価値を高め、カード収集家の購買、交換、売買意欲をさらに昂進することもできる。また、ＩＣチップ１１に、サイン、落款に関する情報を含むトレーディングカード１に関する情報を記載できるので、トレーディングカード１に対する信頼性が高くなり、交換、売買が安心して行える。
なお、落款部７を設けずにカード上に印鑑を押したり、サイン書き込み部３を設けずに、カード上にサインを書いてもよい。
【００２５】
次に、図３から図５を参照しながら第２の実施の形態にかかる収集品について説明する。ここでは収集品として、トレーディングカード１５およびトレーディングカード１５用のカードケース１０１について説明する。第２の実施の形態にかかるトレーディングカード１５には、ＩＣチップ１１は内蔵されず、トレーディングカード１５はカードケース１０１に収納される。図３は、カードケース１０１の斜視図、図４は、Ｐ方向から見たカードケース１０１を示す図、図５は、カードケース１０１を構成する各部位を示す図である。
【００２６】
図３から図５に示すように、カードケース１０１は、ケース本体２３、蓋１００、カバー１０２等からなる。ケース本体２３は板状であり、その上面にカード収納部２６、ＩＣチップ収納部２７、シール収納部２９が凹状に設けられる。カード収納部２６にはトレーディングカード１５が収納される。ＩＣチップ収納部２７にはＩＣチップ１１が収納される。シール収納部２９にはシール３３が収納される。
【００２７】
シール３３にはカード種別や鑑定結果の評価点等、トレーディングカード１５を確認するために必要な情報が記載される。シール３３は顧客Ａの希望により添付しなくてもよい。
【００２８】
カード収納部２６にトレーディングカード１５を収納し、ＩＣチップ収納部２７にＩＣチップ１１を収納し、シール収納部２９にシール３３を収納し、蓋１００をかぶせる。ケース本体２３と蓋１００は、特殊な装置（図示せず）により超音波等を用いて完全に密着され、トレーディングカード１５、ＩＣチップ１１等を保護する。
【００２９】
ケース本体２３、蓋１００はアクリル板等の硬質で透明な物質から作られおり、図３に示す上方からも下方からもケース本体２３、蓋１００を通してトレーディングカード１５、シール３３が見られるようになっている。
【００３０】
図５に示すように、蓋１００の上面には、サイン書き込み部１１１及び落款部１１３が設けられる。サイン書き込み部１１１は、例えばカードに写真が記載されたスポーツ選手等にサイン等を書き込んでもらう部分であり、サインが書きやすいように例えば摩擦度を増す等の表面処理が施されている。また、サインが書かれたホログラムシール等を貼ってもよい。落款部１１３は、例えばカードに記載されたスポーツ選手等に印を落款してもらう部分であり、落款しやすいように例えば摩擦度を増す等の表面処理が施されている。
【００３１】
図３、図４に示すように、蓋１００の両端には押え支持部１０３−１、１０３−２が設けられる。押え支持部１０３−１、１０３−２はそれぞれ押え部１０５−１、１０５−２を支持するものである。押え部１０５−１、１０５−２は両端からケース内側方向に突出した突起である。
【００３２】
図４に示すように、押え支持部１０３−１、１０３−２及び押え部１０５−１、１０５−２は、蓋１００との間に溝部１０７−１、１０７−２を形成する。溝部１０７−１、１０７−２にカバー１０２の両端をはめ込むことによって、カバー１０２と蓋１００が密着する。カバー１０２は蓋１００に設けられたサイン書き込み部１１１及び落款部１１３を保護するものである。カバー１０２はフィルムでもよい。こうして、ケース本体２３、蓋１００、カバー１０２は図３、図４に示すように密着される。
【００３３】
このようにサイン書き込み部１１１及び落款部１１３の上にカバー１０２が設けられるので、サイン書き込み部１１１及び落款部１１３に直接手が接触することが無く、サイン書き込み部１１１に書き込まれたサイン及び落款部１１３に落款された印に対する汚れ等の付着を防止できる。
【００３４】
尚、蓋１００の任意の所定箇所に押え支持部１０３と押え部１０５を設け、カバー１０２をはめ込み、蓋１００の上面に密着させても良い。また、押え支持部１０３、押え部１０５を設けなくても、カバー１０２を蓋１００の上面に圧着または溶着等して設けることも可能である。
【００３５】
このようにカードケース１０１を用いれば、トレーディングカード１５やＩＣチップ１１を外傷から保護することができる。また、ＩＣチップ１１やシール３３を取り出して情報を複製したり、書き換えるなどといった行為を防止することができるとともに、サイン、落款を保護してトレーディングカード１５の価値を長期間に亘り維持できる。
なお、落款部１１３を設けずにケース上に印鑑を押したり、サイン書き込み部１１１を設けずに、ケース上にサインを書いてもよい。
【００３６】
次に、図６、７を参照しながら、第３の実施の形態にかかる収集品について説明する。ここでは収集品として、ボール２００を例にして説明する。図６は、ボール２００を示す外観斜視図、図７は、ボール情報２３１を示す図である。ボール２００は、例えば、野球ボール、テニスボール、バスケットボール、バレーボール等である。
【００３７】
図６に示すように、ボール２００は、落款部２０７、内蔵されたＩＣチップ２１１を有している。落款部２０７には印２０９が落款されている。落款部２０７は、落款が鮮明に行えるよう、表面の摩擦度を増す等の表面処理を行うようにしてもよい。落款はスポーツ選手等その人物自身により行われることで、ボール２００の希少価値を高めることができる。
【００３８】
印２０９は、スポーツ選手等の人物の氏名、背番号、信条とする言葉、似顔絵、干支、星座、家紋、紋章等、その人物に関連する文字や記号等を彫った印鑑の印影、花押等で、その人物固有のものが好ましい。また、ボール２００の品質を保証する、カード化した保証書のような書類を作成し、その書類との間に落款される割印や、落款すると、印に彫り込まれた凹凸がボール２００に写される刻印等でもよい。
【００３９】
ＩＣチップ２１１には、ボール２００に関する様々なボール情報２３１が記録される。図７に示すように、ボール情報２３１は、ボールＩＤ２４１、ボール名称２４２、…、ボールスコア２４５、表面２４６、…、所有者氏名２５０、住所２５１、購入日２５２、…、所有者氏名２６０、住所２６１、購入日２６２、…、サイン２７０、落款２７１、…等からなる。
【００４０】
ボールＩＤ２４１、ボール名称２４２、…等はボール種別を示す項目である。ボールＩＤ２４１はボール２００の識別番号である。ボール名称２４２は、例えばスポーツ選手の選手名等を示す。
【００４１】
ボールスコア２４５、…はボール２００の真贋や価値等の鑑定結果に関する項目である。ボールスコア２４５の欄は総合評価点を、表面２４６はボール２００の表面の例えば傷の有無などによる評価点を示すものである。
【００４２】
所有者氏名２５０、住所２５１、購入日２５２、…、所有者氏名２６０、住所２６１、購入日２６２、…はボール２００の過去、及び現在の所有者に関する情報である。例えば、所有者氏名２５０、住所２５１、購入日２５２、…には現在の所有者である例えば顧客Ａに関する情報が記載されており、所有者氏名２６０、住所２６１、購入日２６２、…には顧客Ａの以前にボール２００を所有していた所有者に関する情報が記載されている。
【００４３】
サイン２７０、落款２７１は、ボール２００にサイン（図示せず）または印２０９の落款がされているか否かの情報が記載される。さらに、サインまたは印２０９がある場合にはその実行日時や、場所、あるいはサイン、印２０９の画像データ、印２０９として記された文字の読みかたや意味、印２０９が割印であるか刻印であるか等、印２０９の種類を記載するようにしてもよい。
【００４４】
このようにＩＣチップ２１１にはボール情報２３１が登録される。即ち、ＩＣチップ２１１を読み取ることによって、ボール種別、ボールの鑑定結果、所有者の履歴、サイン、落款の有無等がわかる。また、ＩＣチップ２１１には、例えばスポーツ選手等の声やボール２００にスポーツ選手がサインする場面等の動画を記録しておくことも可能である。
【００４５】
上記ボール２００の品質を確認するため、検査を行うようにしてもよい。サインを行う際には、第３者が証人となり、さらにそれを記録として残すようにすることもできる。ボール２００には、固有の証明番号を与えるようにしてもよい。
【００４６】
以上説明したように、第３の実施の形態にかかるボール２００においては、落款部２０７を設け、スポーツ選手等が印２０９を落款する。これにより、日本のみならず、外国においても漢字に対する好感度が高いこともあり、ボール２００の希少価値を高め、ボール収集家の購買、交換、売買意欲をさらに昂進することもできる。また、ＩＣチップ２１１に、サイン、落款に関する情報を含むボール２００に関する情報を記載できるので、ボール２００に対する信頼性が高くなり、交換、売買が安心して行える。
なお、落款部２０７を設けずにボール２００上に印鑑を押してもよい。
【００４７】
次に、図８を参照しながら、第４の実施の形態にかかる額装収集品について説明する。ここでは額装収集品として、額装３００を例にして説明する。図８は、額装３００を示す外観図である。
【００４８】
図８に示すように、額装３００は、額３０２、色紙３０４、ユニフォーム３０６、サイン３０８、印３１０などを有している。額３０２は、絵画、写真等を収納する際に用いられるもので、木製や金属製等の縁があり、中央部はガラスやアクリルなど透明な板状のものが嵌め込まれて収納された物品が見えるように作られた、厚さの薄い、例えば直方体形状の物品である。
【００４９】
色紙３０４は、額３０２に収納する物品の台紙を兼ねてもよく、例えば厚紙で作られ、表面は無地でもよいし、彩色が施されていたり模様等が描かれていてもよい。色紙３０４は、有名スポーツ選手等のサイン３０８、印３１０を有するようにしてもよい。色紙３０４の、サイン３０８、印３１０が設けられる部分の表面は、サイン、落款が鮮明に行えるように、表面の摩擦度を増す等の表面処理を行うようにしてもよい。また、サイン３０８、印３１０は、額３０２、ユニフォーム３０６に設けられてもよい。
【００５０】
サイン３０８、印３１０は、それぞれサイン部、落款部を設けてその場所に行うようにしてもよい。印３１０の落款はスポーツ選手等その人物自身により行われることで、額装３００の希少価値を高めることができる。
【００５１】
印３１０は、スポーツ選手等の人物の氏名、背番号、信条とする言葉、似顔絵、干支、星座、家紋、紋章等、その人物に関連する文字や記号等を彫った印鑑の印影、花押等で、その人物固有のものが好ましい。また、額装３００の品質を保証する、カード化した保証書のような書類を作成し、その書類との間に落款される割印や、落款すると、印に彫り込まれた凹凸が色紙３０４等に写される刻印等でもよい。
【００５２】
額装３００には、有名選手等のユニフォーム３０６が収集品として収納されている。ユニフォーム３０６の代わりに、ユニフォームの切れ端、有名スポーツ選手の写真等を収納するようにしてもよい。また、色紙３０４のみを額３０２に収納するようにしてもよい。
【００５３】
さらに額３０２、色紙３０４、ユニフォーム３０６のいずれかにＩＣチップ（図示せず）を装着してもよい。このＩＣチップには、額装３００に関する様々な情報を記録することができる。記録する情報は例えば、額装３００のＩＤ、額装３００の名称、所有者氏名、住所、購入日、サインおよび落款に関する情報等である。また、スポーツ選手等の声や、額装３００にスポーツ選手がサインする場面等の動画を記録しておくことも可能である。
【００５４】
上記額装３００の品質を確認するため、検査を行うようにしてもよい。サインを行う際には、第３者が証人となり、さらにそれを記録として残すようにすることもできる。額装３００には、固有の証明番号を与えるようにしてもよい。
【００５５】
次に、図９を参照しながら、第５の実施の形態にかかる額装収集品について説明する。ここでは額装収集品として、額装４００を例にして説明する。図９は、額装４００を示す外観図である。
【００５６】
図９に示すように、額装４００は、額４０２、ボール４５０等を有している。額４０２は、展示部４０６と、台座４０４を備えている。展示部４０６は、透明のガラスや、アクリルなどのプラスチック製の平板で例えば立方体形状に作られ、内部が見えるようになっている。展示部４０６の下部には、金属性、木製等の台座４０４が備えられており、台座４０４の上部に収集品が展示される。
【００５７】
図９の例では、収集品としてボール４５０が展示されている。台座４０４には、ボール４５０が安定して展示できるよう、突起などを設けてボール４５０を固定するようにしてもよい。収集品は、ボール４５０に限定されず、例えば野球のグローブ、テニスのラケット等といったスポーツ用品等でもよい。その場合、額４０２の形状は、収集品の形状にあわせて変更することが可能である。
【００５８】
ボール４５０は、シール４５２、サイン４５４を有している。シール４５２は、例えばホログラムシールであり、有名スポーツ選手等によるサイン４５４が施されている。サイン４５４の他に、落款等を有するようにしてもよい。サイン４５４、落款等が設けられる部分の表面は、サイン、落款が鮮明に行えるように、表面の摩擦度を増す等の表面処理を行うようにしてもよい。また、シール４５２、サイン４５４、落款等は、額４０２に設けられてもよい。シール４５２にサイン４５４を設けたことで、収集品自体を有名スポーツ選手の元に運ぶ手間をかけずに、様々な収集品に直筆のサイン、落款等を施すことが可能になる。
【００５９】
また、サイン４５４、落款は、それぞれサイン部、落款部を設けてその場所に行うようにしてもよい。落款はスポーツ選手等その人物自身により行われることで、額装４００の希少価値を高めることができる。また、落款は、スポーツ選手等の人物の氏名、背番号、信条とする言葉、似顔絵、干支、星座、家紋、紋章等、その人物に関連する文字や記号等を彫った印鑑の印影、花押等で、その人物固有のものが好ましい。また、額装４００の品質を保証する、カード化した保証書のような書類を作成し、その書類との間に落款される割印や、落款すると、印に彫り込まれた凹凸が写される刻印等でもよい。
【００６０】
さらに額４０２、ボール４５０のいずれかにＩＣチップ（図示せず）を装着してもよい。このＩＣチップには、額装４００に関する様々な情報を記録することができる。記録する情報は例えば、額装４００のＩＤ、額装４００の名称、所有者氏名、住所、購入日、サインおよび落款に関する情報等である。また、スポーツ選手等の声や、額装４００にスポーツ選手がサインする場面等の動画を記録しておくことも可能である。
【００６１】
上記額装４００の品質を確認するため、検査を行うようにしてもよい。サインを行う際には、第３者が証人となり、さらにそれを記録として残すようにすることもできる。額装３００には、固有の証明番号を与えるようにしてもよい。
【００６２】
以上説明したように、第１の実施の形態から第５の実施の形態によれば、トレーディングカード、カードケース、ボール等の収集品や額装収集品に落款、ＩＣチップなどを設けて価値を高め、また長期の保存に耐えるようにすることができ、収集品の販売、交換、売買を促進できる。
【００６３】
以上、添付図面を参照しながら本発明にかかるトレーディングカード、カードケース、収集品の好適な実施形態について説明したが、本発明はかかる例に限定されない。当業者であれば、特許請求の範囲に記載された技術的思想の範疇内において各種の変更例または修正例に想到し得ることは明らかであり、それらについても当然に本発明の技術的範囲に属するものと了解される。
【００６４】
例えば、第２の実施の形態にかかるカードケース１０１に、ＩＣチップ収納部２７を設けずに、ＩＣチップ１１が内蔵されたトレーディングカードを収納するようにしてもよい。また、第３の実施の形態にかかる収集品は、野球のバットやグラブ、テニスラケット等でもよい。
【００６５】
【発明の効果】
以上説明したように、本発明によれば、トレーディングカード等の収集品に、写真が掲載されたスポーツ選手等の印を落款するようにしたので、収集品の価値が高まり、販売、交換、売買を促進する効果があると共に、ＩＣチップにサイン、落款に関する情報を含む収集品に関する情報等を記録して、収集品の信頼性を高めることができる。
【図面の簡単な説明】
【図１】本発明の第１の実施の形態にかかるトレーディングカード１の外観平面図
【図２】カード情報３１を示す図
【図３】カードケース１０１の斜視図
【図４】Ｐ方向から見たカードケース１０１を示す図
【図５】カードケース１０１を構成する各部位を示す図
【図６】ボール２００の外観斜視図
【図７】ボール情報２３１を示す図
【図８】額装３００を示す図
【図９】額装４００を示す図
【符号の説明】
１　トレーディングカード
３　サイン書き込み部
５　サイン
７　落款部
９　印
１１　ＩＣチップ
【図１】
2004106241.tif 000003
【図２】
2004106241.tif 000004
【図３】
2004106241.tif 000005
【図４】
2004106241.tif 000006
【図５】
2004106241.tif 000007
【図６】
2004106241.tif 000008
【図７】
2004106241.tif 000009
【図８】
2004106241.tif 000010
【図９】
2004106241.tif 000011